(57)【要約】【課題】ソフトスタート機能を使用することなく、立ち上がりタイミングが相互に異なる複数種類の直流電圧を出力できるスイッチング電源装置を提供する。【解決手段】直流電源１０からの直流電圧Ｖの印加により始動して直流電圧Ｖを断続させ、この断続により誘起された第１交流電圧を整流して第１直流電圧として外部に出力する第１直流電源回路２０と、第１直流電源回路２０における断続により誘起された第３交流電圧を整流して生成された駆動用直流電圧の印加により始動して直流電源１０からの直流電圧Ｖを断続させ、この断続により誘起された第２交流電圧を整流して第２直流電圧として外部に出力する第２直流電源回路３０とを備えている。【選択図】        図１
2004201477.tif 000002
【特許請求の範囲】
【請求項１】
直流電源からの直流電圧の印加により始動して前記直流電源からの直流電圧を断続させ、該断続により誘起された第１交流電圧を整流して第１直流電圧として外部に出力する第１直流電源回路と、
前記第１直流電源回路における前記断続により誘起された第３交流電圧を整流して生成された駆動用直流電圧の印加により始動して前記直流電源からの直流電圧を断続させ、該断続により誘起された第２交流電圧を整流して第２直流電圧として外部に出力する第２直流電源回路
とを備えたスイッチング電源装置。
【請求項２】
第１直流電源回路は、
直流電源からの直流電圧の印加により始動してパルス幅変調を制御するための第１パルス信号を生成する第１パルス幅変調制御回路と、
前記第１パルス幅変調制御回路からの第１パルス信号に応じて前記直流電源からの直流電圧を断続させ、該断続により誘起された第１交流電圧を整流して第１直流電圧として外部に出力する第１スイッチング部とを含み、
第２直流電源回路は、
前記第１スイッチング部における前記断続により誘起された第３交流電圧を整流して駆動用直流電圧として出力する第２直流電源回路駆動部と、
前記第２直流電源回路駆動部からの駆動用直流電圧の印加により始動してパルス幅変調を制御するための第２パルス信号を生成する第２パルス幅変調制御回路と、
前記第２パルス幅変調制御回路からの第２パルス信号に応じて前記直流電源からの直流電圧を断続させ、該断続により誘起された第２交流電圧を整流して第２直流電圧として外部に出力する第２スイッチング部とを含む
ことを特徴とする請求項１記載のスイッチング電源装置。
【請求項３】
第１スイッチング部及び第２スイッチング部の各々はトランスを含み、直流電源からの直流電圧を断続させるスイッチング素子は前記トランスの一次側に配置され、第２直流電源回路駆動部及び第２パルス幅変調制御回路は前記トランスの二次側に配置されていることを特徴とする請求項２記載のスイッチング電源装置。
【請求項４】
第１スイッチング部から出力される第１直流電圧を検出する電圧検出回路を更に備え、
第２パルス幅変調制御回路は、前記電圧検出回路の検出結果に応じて第２パルス信号の生成を開始又は停止することを特徴とする請求項２又は請求項３記載のスイッチング電源装置。
【請求項５】
直流電源からの直流電圧を印加して第１パルス幅変調制御回路を始動させるスタート回路と、
前記スタート回路によって前記第１パルス幅変調制御回路が始動された後は、前記直流電源からの直流電圧に代えて、第１スイッチング部における前記断続により誘起された第４交流電圧を整流して前記第１パルス幅変調制御回路に供給する第１直流電源回路駆動部と、
前記直流電源からの直流電圧が前記第１パルス幅変調制御回路に再び供給されたかどうかを検出する検出回路とを更に備え、
前記検出回路は、前記直流電源からの直流電圧が再び前記第１パルス幅変調制御回路に供給されたことを検知した場合は、前記スタート回路及び前記第１パルス幅変調制御回路の動作を停止させて、第１直流電圧及び前記第２直流電圧の外部への出力を抑止することを特徴とする請求項２から請求項４のうちのいずれか１項記載のスイッチング電源装置。
【発明の詳細な説明】
【０００１】
【発明の属する技術分野】
この発明は、複数のスイッチング回路を備え、複数種類の直流電圧を出力するスイッチング電源装置に関するものである。
【０００２】
【従来の技術】
従来、複数のスイッチング回路を備えることにより複数種類の直流電圧を出力できるスイッチング電源装置が知られている。このようなスイッチング電源装置を用いて、例えば半導体デバイスを複数種類の直流電圧で駆動する場合、各直流電圧の立ち上がりタイミングを考慮せずに複数種類の直流電圧を半導体デバイスに供給すると、半導体デバイスの破損を招くことがある。
【０００３】
そこで、従来のスイッチング電源装置は、例えば、第１直流電圧を半導体デバイスに供給してから所定時間が経過した後に第２直流電圧を半導体デバイスに供給するように構成されている。このような機能を実現するために、従来のスイッチング電源装置は、第１直流電圧を出力するスイッチング回路を駆動制御するためのパルス信号を生成するパルス幅変調制御回路と、第２直流電圧を出力するスイッチング回路を駆動制御するためのパルス信号を生成するパルス幅変調制御回路とを別個に備えている。そして、各パルス幅変調制御回路に設けられたコンデンサによりパルス信号の出力開始タイミングとパルス幅を調整し、以て第１直流電圧及び第２直流電圧の立ち上がりタイミングを調整するというソフトスタート機能が実現されている（特許文献１参照）。
【０００４】
また、複数のスイッチング回路を備えた他のスイッチング電源装置として、出力の１つが過電流、低電圧になったときに全ての出力を停止することを可能にしたものが知られている（特許文献２参照）。このスイッチング電源装置では、出力異常検出用の巻線に誘起される電圧が低下した場合に、パルス幅変調制御回路に供給される直流電圧が低下してパルス幅変調制御回路の動作が停止し、これにより全ての出力が停止する。
【０００５】
【特許文献１】
特開平９−１５４２７５号公報（段落番号「０１４８」、図１４）
【特許文献２】
特開２００２−６４９８２公報
【０００６】
【発明が解決しようとする課題】
しかしながら、上述した特許文献１に開示された技術では、第１直流電圧と第２直流電圧の立ち上がりの時間差をコンデンサで調整してソフトスタート機能を実現しているので、上記時間差にバラツキが生じることがあり、また、この時間差を大きくすることは困難である。
【０００７】
また、特許文献２に開示されている方法では、出力異常検出用の巻線に誘起される電圧がパルス幅変調制御回路を完全に停止させる電圧にならない場合、出力される直流電圧が異常な電圧になる可能性があるという問題がある。
【０００８】
この発明は、上記のような問題を解決するためになされたもので、ソフトスタート機能を使用することなく、立ち上がりタイミングが相互に異なる複数種類の直流電圧を出力できるスイッチング電源装置を得ることを目的とする。
【０００９】
また、この発明は、出力異常検出用の巻線に誘起される電圧値に依存することなく、出力の１つが過電流、低電圧になったときに全ての出力を停止させることができるスイッチング電源装置を得ることを目的とする。
【００１０】
【課題を解決するための手段】
この発明に係るスイッチング電源装置は、直流電源からの直流電圧の印加により始動してその直流電源からの直流電圧を断続させ、この断続により誘起された第１交流電圧を整流して第１直流電圧として外部に出力する第１直流電源回路と、第１直流電源回路における断続により誘起された第３交流電圧を整流して生成された駆動用直流電圧の印加により始動して直流電源からの直流電圧を断続させ、この断続により誘起された第２交流電圧を整流して第２直流電圧として外部に出力する第２直流電源回路とを備えたものである。
【００１１】
【発明の実施の形態】
以下、この発明の実施の形態を図面を参照しながら詳細に説明する。
実施の形態１．
図１は、この発明の実施の形態１によるスイッチング電源装置の構成を示す回路図である。このスイッチング電源装置は、直流電源１０、第１直流電源回路２０、第２直流電源回路３０、スタート回路４０及びダイオード５０から構成されている。
【００１２】
直流電源１０は、第１直流電源回路２０、第２直流電源回路３０及びスタート回路４０に直流電圧Ｖを供給する。
【００１３】
第１直流電源回路２０は、第１スイッチング回路２１、第１１整流平滑回路２２、第１パルス幅変調制御回路２３、第１ゲート駆動回路２４及び第１２整流平滑回路２５から構成されている。第１スイッチング回路２１及び第１２整流平滑回路２５は、この発明の第１スイッチング部に対応する。
【００１４】
第１スイッチング回路２１は、第１トランス２１０と、この第１トランス２１０の一次巻線２１１に直列に挿入されたスイッチング素子である第１電界効果トランジスタ（第１ＴＲ）２１２とから構成されている。第１トランス２１０の一次巻線２１１には直流電源１０から直流電圧Ｖが供給される。
【００１５】
第１トランス２１０は、第１巻線２１３、第２巻線２１４及び第３巻線２１５といった３つの二次巻線を備えている。第１巻線２１３は、一次側に配置された第１１整流平滑回路２２に接続されている。第２巻線２１４は、二次側に配置された第１２整流平滑回路２５に接続されている。第３巻線２１５は、一次側に配置された第２１整流平滑回路３２に接続されている。
【００１６】
第１電界効果トランジスタ２１２は、第１ゲート駆動回路２４からの第１駆動信号に応じてオン／オフする。この第１電界効果トランジスタ２１２のオン／オフにより、直流電源１０からの直流電圧Ｖが断続され、交流電圧として第１トランス２１０の一次巻線２１１に供給される。
【００１７】
第１１整流平滑回路２２は、第１トランス２１０の第１巻線２１３に誘起された第４交流電圧を整流及び平滑し、第１パルス幅変調制御回路２３に供給する。この第１１整流平滑回路２２は、詳細な説明は省略するが、ダイオード２２０及び２２１、インダクタ２２２並びにコンデンサ２２３から成る周知の回路から構成されている。第１１整流平滑回路２２は、この発明の第１直流電源回路駆動部に対応する。
【００１８】
第１パルス幅変調制御回路２３は、直流電源１０からスタート回路４０及びダイオード５０を介して供給される直流電圧又は第１１整流平滑回路２２から供給される直流電圧を電源として動作する。この第１パルス幅変調制御回路２３は、供給された直流電圧に応じたパルス幅を有する第１パルス信号を生成し、第１ゲート駆動回路２４に供給する。
【００１９】
第１ゲート駆動回路２４は、第１パルス幅変調制御回路２３からの第１パルス信号を増幅し、第１駆動信号として第１電界効果トランジスタ２１２のゲートに送る。第１電界効果トランジスタ２１２は、この第１駆動信号に応じてオン又はオフにされる。
【００２０】
第１２整流平滑回路２５は、第１トランス２１０の第２巻線２１４に誘起された第１交流電圧を整流及び平滑し、負荷２６に供給する。この第１２整流平滑回路２５は、詳細な説明は省略するが、ダイオード２５０及び２５１、インダクタ２５２並びにコンデンサ２５３から成る周知の回路から構成されている。
【００２１】
第２直流電源回路３０は、第２スイッチング回路３１、第２１整流平滑回路３２、第２パルス幅変調制御回路３３、第２ゲート駆動回路３４及び第２２整流平滑回路３５から構成されている。第２スイッチング回路３１及び第２２整流平滑回路３５は、この発明の第２スイッチング部に対応する。
【００２２】
第２スイッチング回路３１は、第２トランス３１０と、この第２トランス３１０の一次巻線３１１に直列に挿入されたスイッチング素子である第２電界効果トランジスタ（第２ＴＲ）３１２とから構成されている。第２トランス３１０の一次巻線３１１には直流電源１０から直流電圧Ｖが供給される。第２トランス３１０は、１つの二次巻線３１３を備えており、この二次巻線３１３は、第２２整流平滑回路３５に接続されている。
【００２３】
第２電界効果トランジスタ３１２は、第２ゲート駆動回路３４からの第２駆動信号に応じてオン／オフする。この第２電界効果トランジスタ３１２のオン／オフにより、直流電源１０からの直流電圧Ｖが断続され、交流電圧として第２トランス３１０の一次巻線３１１に供給される。
【００２４】
第２１整流平滑回路３２は、第１直流電源回路２０の第１スイッチング回路２１に含まれる第１トランス２１０の第３巻線２１５に誘起された第３交流電圧を整流及び平滑し、第２パルス幅変調制御回路３３に供給する。この第２１整流平滑回路３２は、詳細な説明は省略するが、ダイオード３２０及び３２１、インダクタ３２２並びにコンデンサ３２３から成る周知の回路から構成されている。この第２１整流平滑回路３２は、この発明の第２直流電源回路駆動部に対応する。
【００２５】
第２パルス幅変調制御回路３３は、第２１整流平滑回路３２から供給される直流電圧を電源として動作する。この第２パルス幅変調制御回路３３は、供給された直流電圧に応じたパルス幅を有する第２パルス信号を生成し、第２ゲート駆動回路３４に供給する。
【００２６】
第２ゲート駆動回路３４は、第２パルス幅変調制御回路３３からの第２パルス信号を増幅し、第２駆動信号として第２電界効果トランジスタ３１２のゲートに送る。第２電界効果トランジスタ３１２は、この第２駆動信号に応じてオン又はオフにされる。
【００２７】
第２２整流平滑回路３５は、第２トランス３１０の二次巻線３１３に誘起された第２交流電圧を整流及び平滑し、負荷３６に供給する。この第２２整流平滑回路３５は、詳細な説明は省略するが、ダイオード３５０及び３５１、インダクタ３５２並びにコンデンサ３５３から成る周知の回路から構成されている。
【００２８】
スタート回路４０は、このスイッチング電源装置を始動させるために使用される。即ち、このスタート回路４０は、外部からの起動指令に応答して、直流電源１０からの直流電圧Ｖを所定の電圧に変換し、ダイオード５０を介して第１パルス幅変調制御回路２３に供給する。ダイオード５０は、第１パルス幅変調制御回路２３に供給する直流電圧として、スタート回路４０の出力又は第１１整流平滑回路２２の出力の何れかを選択するように機能する。
【００２９】
次に、この発明の実施の形態１に係るスイッチング電源装置の動作を説明する。
【００３０】
スタート回路４０は、外部からの起動指令を受け取ると、直流電源１０からの直流電圧Ｖを所定の電圧に変換し、ダイオード５０を介して第１パルス幅変調制御回路２３に供給する。これにより、第１パルス幅変調制御回路２３は始動する。即ち、第１パルス幅変調制御回路２３は、スタート回路４０からダイオード５０を介して供給された直流電圧に応じたパルス幅でオン及びオフを繰り返す第１パルス信号を生成し、第１ゲート駆動回路２４に供給する。
【００３１】
第１ゲート駆動回路２４は、第１パルス幅変調制御回路２３からの第１パルス信号を増幅して第１駆動信号を生成し、第１電界効果トランジスタ２１２のゲートに供給する。これにより、第１電界効果トランジスタ２１２は、第１パルス信号に従ってオン／オフを繰り返す。その結果、直流電源１０からの直流電圧Ｖが断続された交流電圧が第１トランス２１０の一次巻線２１１に印加される。
【００３２】
第１トランス２１０の一次巻線２１１に交流電圧が印加されると、第１巻線２１３、第２巻線２１４及び第３巻線２１５には第４交流電圧、第１交流電圧及び第３交流電圧がそれぞれ誘起され、第１１整流平滑回路２２、第１２整流平滑回路２５及び第２直流電源回路３０の第２１整流平滑回路３２にそれぞれ供給される。二次巻線２１３、２１４及び２１５にそれぞれ誘起される第４、第１及び第３交流電圧は、一次巻線２１１と二次巻線２１３、２１４及び２１５との巻線比によってそれぞれ決定される。
【００３３】
第１１整流平滑回路２２は、第１巻線２１３に誘起された第４交流電圧を整流及び平滑化して第１駆動用直流電圧を生成し、第１パルス幅変調制御回路２３に供給する。この第１駆動用直流電圧は、一次巻線２１１に対する第１巻線２１３の巻線比を適宜定めることにより、スタート回路４０からダイオード５０を介して第１パルス幅変調制御回路２３に供給される直流電圧より高くなるように設定されている。従って、第１１整流平滑回路２２から第１駆動用直流電圧の出力が開始されると、ダイオード５０は逆バイアスされ、ダイオード５０に流れる電流は停止される。その結果、スタート回路４０から第１パルス幅変調制御回路２３への直流電圧の供給は停止され、以後は、これに代えて第１１整流平滑回路２２から第１パルス幅変調制御回路２３に直流電圧が供給される。その後は、上述したように、第１パルス幅変調制御回路２３、第１ゲート駆動回路２４、第１電界効果トランジスタ２１２、第１トランス２１０及び第１１整流平滑回路２２といった閉経路で信号が流れることにより第１パルス信号のパルス幅が一定になるように制御され、第１直流電源回路２０は平衡状態に入る。
【００３４】
一方、上記第１１整流平滑回路２２の動作と並行して、第１２整流平滑回路２５は、第２巻線２１４に誘起された第１交流電圧を整流及び平滑化して第１直流電圧を生成し、負荷２６に供給する。この第１直流電圧は、一次巻線２１１に対する第２巻線２１４の巻線比を適宜定めることにより、例えば半導体デバイスといった負荷２６に最初に投入される電圧Ｖ１になるように設定されている。
【００３５】
更に、上記第１１整流平滑回路２２及び第１２整流平滑回路２５の動作と並行して、第２直流電源回路３０の第２１整流平滑回路３２は、第３巻線２１５に誘起された第３交流電圧を整流及び平滑化して第２駆動用直流電圧（この発明の駆動用直流電圧に対応する）を生成し、第２パルス幅変調制御回路３３に供給する。これにより、第２パルス幅変調制御回路３３は始動する。即ち、第２パルス幅変調制御回路３３は、第２１整流平滑回路３２から供給された第２駆動用直流電圧に応じたパルス幅でオン及びオフを繰り返す第２パルス信号を生成し、第２ゲート駆動回路３４に供給する。
【００３６】
第２ゲート駆動回路３４は、第２パルス幅変調制御回路３３からの第２パルス信号を増幅して第３駆動信号を生成し、第２電界効果トランジスタ３１２のゲートに供給する。これにより、第２電界効果トランジスタ３１２は、第２パルス信号に従ってオン／オフを繰り返す。その結果、直流電源１０からの直流電圧Ｖが断続された交流電圧が第２トランス３１０の一次巻線３１１に印加される。
【００３７】
第２トランス３１０の一次巻線３１１に交流電圧が印加されると、その二次巻線３１３には第２交流電圧が誘起され、第２２整流平滑回路３５に供給される。二次巻線３１３から出力される電圧は、一次巻線３１１と二次巻線３１３との巻線比によって決定される。
【００３８】
第２２整流平滑回路３５は、二次巻線３１３に誘起された第２交流電圧を整流及び平滑化して第２直流電圧を生成し、負荷３６に供給する。この第２直流電圧は、一次巻線３１１に対する二次巻線３１３の巻線比を適宜定めることにより、例えば半導体デバイスといった負荷３６に対し、最初に投入された電圧Ｖ１に引き続いて投入される電圧Ｖ２になるように設定されている。
【００３９】
以上説明したように、この実施の形態１に係るスイッチング電源装置によれば、第１直流電源回路２０が動作を開始した後に、第２直流電源回路３０の第２パルス幅変調制御回路３３に第２駆動用直流電圧を電源として供給するように構成したので、第１直流電源回路２０が始動しなければ第２直流電源回路３０は始動せず、第１直流電源回路２０から出力される第１直流電圧が立ち上がった後に第２直流電源回路３０から出力される第２直流電圧が立ち上がるというシーケンスが崩れることはない。従って、従来のようなソフトスタート機能を使用しなくても、立ち上がりタイミングが相互に異なる複数種類の直流電圧を出力することができる。
【００４０】
実施の形態２．
図２は、この発明の実施の形態２によるスイッチング電源装置の構成を示す回路図である。このスイッチング電源装置は、実施の形態１によるスイッチング電源装置における第２１整流平滑回路３２及び第２パルス幅変調制御回路３３を二次側に配置し、第２パルス幅変調制御回路３３で生成された第２パルス信号を、新たに追加された第３トランス６０を介して、一次側に設けられた第２ゲート駆動回路３４に供給するように構成されている。以下においては、実施の形態１と同一又は相当部分には実施の形態１と同じ符号を付し、説明を省略する。
【００４１】
具体的には、第１トランス２１０の第３巻線２１５は、二次側に配置された第２１整流平滑回路３２に接続されている。この第２１整流平滑回路３２は、第１トランス２１０の第３巻線２１５に誘起された第３交流電圧を整流及び平滑して第２駆動用直流電圧（この発明の駆動用直流電圧に対応する）を生成し、第２パルス幅変調制御回路３３に供給する。
【００４２】
第２パルス幅変調制御回路３３は、第２１整流平滑回路３２から供給される第２駆動用直流電圧によって動作する。この第２パルス幅変調制御回路３３は、第２１整流平滑回路３２から供給された直流電圧に応じたパルス幅を有する第２パルス信号を生成し、第３トランス６０に供給する。第３トランス６０は、第２１整流平滑回路３２からの第２パルス信号を変圧し、第２ゲート駆動回路３４に供給する。この場合、変圧比は「１：１」とすることができる。
【００４３】
以上のように構成される本発明の実施の形態２に係るスイッチング電源装置の動作は、以下の点を除けば、上述した実施の形態１に係るスイッチング電源装置の動作と同じである。即ち、二次側に配置された第２パルス幅変調制御回路３３は、二次側に配置された第２１整流平滑回路３２からの第２駆動用直流電圧によって始動する。そして、この第２パルス幅変調制御回路３３において生成された第２パルス信号は、第３トランス６０を介して一次側に配置された第２ゲート駆動回路３４に供給される。
【００４４】
以上説明したように、この実施の形態２に係るスイッチング電源装置によれば、上述した実施の形態１に係るスイッチング電源装置と同様に、従来のようなソフトスタート機能を使用しなくても、立ち上がりタイミングが相互に異なる複数種類の直流電圧を出力することができる。
【００４５】
加えて、第２１整流平滑回路３２及び第２パルス幅変調制御回路３３を二次側に配置し、この二次側に配置された第２パルス幅変調制御回路３３からの第２パルス信号を第３トランス６０を介して一次側に配置された第２ゲート駆動回路３４に供給するように構成したので、二次側で生成された第２パルス信号が電気的に絶縁された一次側に供給される。その結果、第２パルス信号は、スイッチングノイズの影響を受け難くなり、スイッチング電源装置の安定した動作が可能になる。
【００４６】
実施の形態３．
図３は、この発明の実施の形態３によるスイッチング電源装置の構成を示す回路図である。このスイッチング電源装置は、実施の形態２によるスイッチング電源装置において、第１２整流平滑回路２５から出力される第１直流電圧を検出する電圧検出回路７０を新たに設け、この電圧検出回路７０の出力を第２パルス幅変調制御回路３３に供給するように構成されている。以下においては、実施の形態２と同一又は相当部分には実施の形態２と同じ符号を付し、説明を省略する。
【００４７】
この実施の形態３に係るスイッチング電源装置は、以下の点を除けば、上述した実施の形態２に係るスイッチング電源装置の動作と同じである。即ち、電圧検出回路７０は、第１２整流平滑回路２５から出力される第１直流電圧のレベルを検出し、この検出された電圧のレベルが所定のレベルより大きい場合は、第２パルス幅変調制御回路３３を動作させるための制御信号を生成し、所定のレベル以下である場合は、第２パルス幅変調制御回路３３の動作を停止させるための制御信号を生成し、第２パルス幅変調制御回路３３に送る。
【００４８】
これにより、第１２整流平滑回路２５から出力される第１直流電圧のレベルに応じて、第２２整流平滑回路３５から第２直流電圧を出力するかどうかを高い精度で制御することが可能になる。また、第１２整流平滑回路２５から出力される第１直流電圧のレベルが低下した場合に、第２２整流平滑回路３５は第２直流電圧の出力を停止させるので、電圧検出回路７０は異常検知手段としても機能する。
【００４９】
以上説明したように、この実施の形態３に係るスイッチング電源装置によれば、上述した実施の形態１に係るスイッチング電源装置と同様に、従来のようなソフトスタート機能を使用しなくても、立ち上がりタイミングが相互に異なる複数種類の直流電圧を出力することができる。また、上述した実施の形態２に係るスイッチング電源装置と同様に、スイッチング電源装置の安定した動作が可能になる。
【００５０】
加えて、電圧検出回路７０で用いられる「所定のレベル」を適宜設定することにより、第１２整流平滑回路２５から出力される第１直流電圧が立ち上がってから第２２整流平滑回路３５から出力される第２直流電圧が立ち上がるまでの時間を調整できるので、種々の負荷に適合するスイッチング電源装置を提供できる。また、第１直流電圧が低下するという異常が発生した場合に、第２直流電圧の出力を停止させることができるので、負荷の異常動作を防止できる。
【００５１】
この実施の形態３に係るスイッチング電源装置は、実施の形態２に係るスイッチング電源装置に電圧検出回路７０を追加したものであるが、実施の形態１に係るスイッチング電源装置に電圧検出回路７０を追加するように構成することもできる。この場合も上記と同様の作用及び効果を奏する。なお、実施の形態２に係るスイッチング電源装置に電圧検出回路７０を追加した場合は、第２パルス幅変調制御回路３３が二次側に配置されているので、実施の形態１に係るスイッチング電源装置に電圧検出回路７０を追加した場合に比べて、回路構成が簡単になるという利点がある。
【００５２】
実施の形態４．
図４は、この発明の実施の形態４によるスイッチング電源装置の構成を示す回路図である。このスイッチング電源装置は、実施の形態２によるスイッチング電源装置において、ダイオード５０に流れる電流を検出する検出回路８０を新たに設け、この検出回路８０における検出結果がスタート回路４０及び第１パルス幅変調制御回路２３に供給されるように構成されている。以下においては、実施の形態２と同一又は相当部分には実施の形態２と同じ符号を付し、説明を省略する。
【００５３】
このスイッチング電源装置の動作は、以下の点を除けば、上述した実施の形態２に係るスイッチング電源装置の動作と同じである。即ち、第１１整流平滑回路２２から出力される第１駆動用直流電圧が低下すると、ダイオード５０は順バイアスされ、ダイオード５０に再び電流が流れ始める。検出回路８０は、このダイオード５０に電流が再び流れ始めたことを検出すると、動作を停止させるための制御信号を生成し、スタート回路４０及び第１パルス幅変調制御回路２３に送る。検出回路８０からの制御信号を受け取ったスタート回路４０及び第１パルス幅変調制御回路２３は、その動作を停止する。
【００５４】
これにより、例えば第１トランス２１０の二次巻線の１つが短絡することによって第１１整流平滑回路２２から出力される第１駆動用直流電圧が低下し、スタート回路４０からダイオード５０を介して第１パルス幅変調制御回路２３に電流が流れ始める。検出回路８０は、このダイオード５０に電流が再び流れたことを検出し、スタート回路４０及び第１パルス幅変調制御回路２３の動作を停止させる。これにより、第１直流電源回路２０の動作が停止して第１直流電圧の出力が抑止され、また、第１直流電源回路２０の動作が停止することに伴って第２直流電源回路３０の動作も停止し、第２直流電圧の出力が抑止される。
【００５５】
以上説明したように、この実施の形態４に係るスイッチング電源装置によれば、上述した実施の形態１に係るスイッチング電源装置と同様に、従来のようなソフトスタート機能を使用しなくても、立ち上がりのタイミングが相互に異なる複数種類の直流電圧を出力することができる。また、上述した実施の形態２に係るスイッチング電源装置と同様に、スイッチング電源装置の安定した動作が可能になる。
【００５６】
加えて、第１１整流平滑回路２２からの第１駆動用直流電圧が低下すると、検出回路８０は、スタート回路４０及び第１パルス幅変調制御回路２３の動作を停止させ、これによりスイッチング電源装置の全ての出力が停止されるので、出力異常等が発生した場合に速やかに全ての出力を停止させることができる。
【００５７】
この実施の形態４に係るスイッチング電源装置は、実施の形態２に係るスイッチング電源装置に検出回路８０を追加したものであるが、実施の形態１又は実施の形態３に係るスイッチング電源装置に検出回路８０を追加するように構成することもできる。これらの場合も上記と同様の作用及び効果を奏する。
【００５８】
【発明の効果】
以上のように、この発明によれば、第１直流電源回路が始動された後に、この始動された第１直流電源回路で生成された駆動用直流電圧を印加することにより第２直流電源回路を始動するように構成したので、ソフトスタート機能を用いることなく、立ち上がりタイミングが相互に異なる複数種類の直流電圧を出力することができる。
【図面の簡単な説明】
【図１】本発明の実施の形態１に係るスイッチング電源装置の構成を示す回路図である。
【図２】本発明の実施の形態２に係るスイッチング電源装置の構成を示す回路図である。
【図３】本発明の実施の形態３に係るスイッチング電源装置の構成を示す回路図である。
【図４】本発明の実施の形態４に係るスイッチング電源装置の構成を示す回路図である。
【符号の説明】
１０  直流電源、２０  第１直流電源回路、２１  第１スイッチング回路（第１スイッチング部）、２２  第１１整流平滑回路（第１直流電源回路駆動部）、２３  第１パルス幅変調制御回路、２４  第１ゲート駆動回路、２５  第１２整流平滑回路（第１スイッチング部）、２６  負荷、３０  第２直流電源回路、３１  第２スイッチング回路（第２スイッチング部）、３２  第２１整流平滑回路（第２直流電源回路駆動部）、３３  第２パルス幅変調制御回路、３４  第２ゲート駆動回路、３５  第２２整流平滑回路（第２スイッチング部）、３６  負荷、４０  スタート回路、５０  ダイオード、６０  第３トランス、７０  電圧検出回路、８０  検出回路、２１０  第１トランス、２１２  第１電界効果トランジスタ（スイッチング素子）、３１０  第２トランス、３１２  第２電界効果トランジスタ（スイッチング素子）。
【図１】
2004201477.tif 000003
【図２】
2004201477.tif 000004
【図３】
2004201477.tif 000005
【図４】
2004201477.tif 000006